(57)【要約】    【課題】  簡単な構造によって、導電リングと端子とを作動させて、転出される信号の時間差により、第１の回転方向か、第２の回転方向かを判別できるモバイルナビゲーション機構の方向ころ構造を提供する。    【解決手段】  本考案は、一端に、複数の欠け口が設けられる、中空リング状の導電リングと、当該二つの隣接する欠け口の間にある突出面の内縁に、形成される接触部と、導電リングが嵌装される支持機構と、それぞれ導電リングの内縁の両端から挿入され、その中の一端にある端子が導電リングに挿入される深さが、導電リングの欠け口の範囲を超えない、複数の端子とがある。【選択図】図１
0003105396.tif 000002
【実用新案登録請求の範囲】
【請求項１】
中空リング状であり、一端には、複数の欠け口が設けられ、当該二つの隣接する欠け口の間にある突出面の内縁には、接触部が形成される、導電リングと、
それぞれ、上記導電リングの内縁の両端から挿入されて、当該導電リングの内縁に、プリロードを印加して、また、その一端の端子が導電リングに挿入される深さは、導電リングの欠け口の範囲を超えず、また、各端子は、それぞれ、導電リングから露出して、予めに設置された回路の接点と、電気的に接続する、複数の端子と、
を有する、ことを特徴とする、モバイルナビゲーション機構の方向ころ構造。
【請求項２】
当該導電リングの他の一端の内縁は、平らの接触面である、ことを特徴とする、請求項１記載のモバイルナビゲーション機構の方向ころ構造。
【請求項３】
当該導電リングは、支持機構に嵌装される、ことを特徴とする、請求項１記載のモバイルナビゲーション機構の方向ころ構造。
【請求項４】
当該支持機構には、二つのブラケットがあり、当該二つのブラケットには、それぞれ、互いに対応するアームがあり、また、二つのブラケットのアームは、それぞれ、導電リングの内縁の両端から挿入されて、二つのブラケットにより、導電リングを支持する、ことを特徴とする、請求項３記載のモバイルナビゲーション機構の方向ころ構造。
【請求項５】
当該二つのブラケットのアームの先端が、互いに、当接して、アームの機械強度は、向上される、ことを特徴とする、請求項３記載のモバイルナビゲーション機構の方向ころ構造。
【請求項６】
当該二つのブラケットのアームの先端は、対応する凹や凸で当接する、ことを特徴とする、請求項３記載のモバイルナビゲーション機構の方向ころ構造。
【請求項７】
当該複数の端子には、導電リングの一端に設置され、信号を出力する第１の端子と第２の端子が含まれる、ことを特徴とする、請求項１記載のモバイルナビゲーション機構の方向ころ構造。
【請求項８】
当該複数の端子には、導電リングの一端に設置され、電源信号を伝送する第３の端子と第４の端子が含まれる、ことを特徴とする、請求項１記載のモバイルナビゲーション機構の方向ころ構造。
【請求項９】
当該第１の端子と第２の端子と導電リングの円心との夾角は、約１５０°である、ことを特徴とする、請求項７記載のモバイルナビゲーション機構の方向ころ構造。
【請求項１０】
当該導電リングの欠け口と接触部とは、60°の角度で配置される、ことを特徴とする、請求項１記載のモバイルナビゲーション機構の方向ころ構造。
【考案の詳細な説明】
【技術分野】
【０００１】
本考案は、モバイルナビゲーション機構の方向ころ機能構造に関し、特に、当該導電リングと端子と作動させて、転出される信号の時間差により、第１の回転方向か、第２の回転方向かを判別できる、モバイルナビゲーション機構の方向ころ機能構造に関する。
【背景技術】
【０００２】
一般の、従来のものは、米特許第6、097、964号「携帯電話のころキー」の第８図およびその説明に開示されているように、当該ころキーには、軸体４０があり、当該軸体４０の中央には、軸４１が設けられ、また、当該軸体４０と軸４１とは、軸受４２とエンコーダ４６との間に設置され、また、当該軸体４０とエンコーダ４６との間には、金属盤４４と外部スリーブ４５とが設置され、また、当該エンコーダ４６の外側には、ロック素子４３が設置され、これにより、携帯電話のころキーが構成され、当該ころキーにより、携帯電話の内部資訊が選択される。
【０００３】
しかしながら、上記の「携帯電話のころキー」により、ユーザーは、携帯電話の内部資訊を選択でき、当該ころキーで、前や後へ回転選択する時、外部スリーブ４５の全体構成にあわせて、エンコーダ４６構成を利用して、前や後への回転する作動を確認できるが、図８から分かるように、当該ころキーの構成は、非常に複雑的であるため、今において、携帯電話に、軽、薄、小が強調されるので、このような複雑な構成を携帯電話上に設置するには、製造時間や工程の無駄であるだけでなく、信号を伝送する構成も、複雑的になり、また、上記のような構成で、信号を伝送する時、その伝送特性や効率がよくない。
【特許文献１】米特許第6、097、964号
【考案の開示】
【考案が解決しようとする課題】
【０００４】
本考案の主な目的は、モバイルナビゲーション機構の方向ころ構造が複雑であることを改善して、その伝送特性や効率がよくない問題を解決する。
【課題を解決するための手段】
【０００５】
請求項１に記載の本考案は、中空リング状であり、一端には、複数の欠け口が設けられ、当該二つの隣接する欠け口の間にある突出面の内縁には、接触部が形成される、導電リングと、それぞれ、上記導電リングの内縁の両端から挿入されて、当該導電リングの内縁に、プリロードを印加して、また、その一端の端子が導電リングに挿入される深さは、導電リングの欠け口の範囲を超えず、また、各端子は、それぞれ、導電リングから露出して、予めに設置された回路の接点と、電気的に接続する、複数の端子と、を有する、ことを特徴とする、モバイルナビゲーション機構の方向ころ構造である。
請求項２に記載の本考案は、当該導電リングの他の一端の内縁は、平らの接触面である、ことを特徴とする、請求項１記載のモバイルナビゲーション機構の方向ころ構造である。
請求項３に記載の本考案は、当該導電リングは、支持機構に嵌装される、ことを特徴とする、請求項１記載のモバイルナビゲーション機構の方向ころ構造である。
請求項４に記載の本考案は、当該支持機構には、二つのブラケットがあり、当該二つのブラケットには、それぞれ、互いに対応するアームがあり、また、二つのブラケットのアームは、それぞれ、導電リングの内縁の両端から挿入されて、二つのブラケットにより、導電リングを支持する、ことを特徴とする、請求項３記載のモバイルナビゲーション機構の方向ころ構造である。
請求項５に記載の本考案は、当該二つのブラケットのアームの先端が、互いに、当接して、アームの機械強度は、向上される、ことを特徴とする、請求項３記載のモバイルナビゲーション機構の方向ころ構造である。
請求項６に記載の本考案は、当該二つのブラケットのアームの先端は、対応する凹や凸で当接する、ことを特徴とする、請求項３記載のモバイルナビゲーション機構の方向ころ構造である。
請求項７に記載の本考案は、当該複数の端子には、導電リングの一端に設置され、信号を出力する第１の端子と第２の端子が含まれる、ことを特徴とする、請求項１記載のモバイルナビゲーション機構の方向ころ構造である。
請求項８に記載の本考案は、当該複数の端子には、導電リングの一端に設置され、電源信号を伝送する第３の端子と第４の端子が含まれる、ことを特徴とする、請求項１記載のモバイルナビゲーション機構の方向ころ構造である。
請求項９に記載の本考案は、当該第１の端子と第２の端子と導電リングの円心との夾角は、約１５０°である、ことを特徴とする、請求項７記載のモバイルナビゲーション機構の方向ころ構造である。
請求項１０に記載の本考案は、当該導電リングの欠け口と接触部とは、60°の角度で配置される、ことを特徴とする、請求項１記載のモバイルナビゲーション機構の方向ころ構造である。
【考案の効果】
【０００６】
本考案のモバイルナビゲーション機構の方向ころ構造は、簡単な構造によって、当該導電リングと端子とを作動させて、転出される信号の時間差により、第１の回転方向か、第２の回転方向かを判別できる。
【考案を実施するための最良の形態】
【０００７】
図１から３は、それぞれ、本考案のより良い実施例の立体分解概念図、本考案のより良い実施例の導電リングと端子との組み立ての概念図、他の角度から見る本考案のより良い実施例の導電リングと端子の組み立ての概念図である。図のように、本実施例は、モバイルナビゲーション機構の方向ころ構造であり、導電リング１と、支持機構２と、複数の端子３とからなり、当該導電リング１と端子３とを、作動させて、転出される信号の時間差により、第１の回転方向か、第２の回転方向かを判別できる。
【０００８】
上記の導電リング１は、中空リング状であり、当該導電リング１の一端には、複数の欠け口１１が設けられ、当該二つの隣接する欠け口１１の間にある突出面の内縁には、接触部１２が形成され、当該導電リング１の他の一端の内縁には、リング状の接触面１３であり、また、当該導電リング１の外部には、絶縁スリーブ(図に示さず)が嵌装される。
【０００９】
本実施例に係わる支持機構２は、上記の導電リング１が嵌装され、当該支持機構２には、二つのブラケット２１、２２があり、当該二つのブラケット２１、２２には、それぞれに対応するアーム２１１、２２１があり、また、二つのブラケット２１、２２のアーム２１１、２２１は、それぞれ、導電リング１の内縁の両端から挿入されることにより、二つのブラケット２１、２２が導電リング１を支持し、当該二つのブラケット２１、２２のアーム２１１、２２１の先端が、互いに、対応する凹や凸で当接することにより、アーム２１１、２２１の機械強度は、向上される。
【００１０】
本実施例において、複数の端子３は、それぞれ、導電リング１の内縁の両端から挿入されて、当該導電リング１の内縁に、プリロード(Pre-load、即ち、常態下で、端子は、導電リング内に組み立てられる時、すでに圧迫されて変形される状態である)を印加し、当該複数の端子には、導電リングの一端に設置され、信号を出力する第１の端子３Aと第２の端子３Bと、電源信号を伝送する第３の端子３Cと第４の端子３Dと、がある。第１の端子３Aと第２の端子３Bとが、導電リング１に挿入する深さは、導電リング１の欠け口１１の底部を超えず、また、各端子３A、３B、３C、３Dは、それぞれ、導電リング１から露出して、予めに設置された回路の接点と、電気的に接続し(図に示さず)、上記の構成により、新しいモバイルナビゲーション機構の方向ころ構造が構成される。
【００１１】
図４のように、本実施例において、主として、第１と第２の端子３Ａ、３Ｂは、それぞれ、導電リング１の内縁に、互いに対応する場所に設けられ、また、第１と第２の端子３Ａ、３Ｂと導電リング１の円心との夾角は、約１５０°である。本実施例においては、導電リング１に三つの接触部１２があり、両接触部１２が、絶縁体が充填される欠け口１１によって、隔離され、また、第３の端子３Cと第４の端子３Dとは、絶えずに、電源信号を導電リング１に伝送するため、第１や第２の端子３Ａ、３Ｂは、導電リング１の接触部１２と接触する時、当該第１や第２の端子３Ａ、３Ｂは、高電位を出力する。
【００１２】
本実施例の導電リング１に、三つの接触部１２があり、また、隣接する二つの接触部１２が、絶縁体が充填される欠け口１１によって、隔離されるため、本実施例において、各接触部１２と欠け口１１の円周は、それぞれ６０°であり、従って、本実施例において、第１と第２の端子３Ａ、３Ｂとの夾角は、一つの接触部１２と一つの欠け口１１の夾角より、３０°分大きくなり、これにより、第１と第２の端子３Ａ、３Ｂは、同時に、接触部１２或いは欠け口１１と接触したり、それぞれ、接触部１２と欠け口１１と接触したりする。この技術を良く分かるものであれば、本実施例においての角度が、第１と第２の端子３Ａ、３Ｂとの間にある位相差を特定するためのものと分かり、本考案の実施範囲を制限するものではない。
【００１３】
図４と５は、本実施例の使用状態の概念図と本実施例の時計回りの第１と第２の端子３Ａ、３Ｂの出力信号の概念図である。図のように、ユーザーが本実施例を利用して、前へや後へを選択する時、当該絶縁スリーブ(図に示さず)を回転するだけで、当該導電リング１を連動させ、また、当該第３の端子３Cと第４の端子３Dは、導電リング１の他の一端の内縁の接触面１３との電源信号を伝送することに供し(図３のように)、また、第１の端子３Aと第２の端子３Bは、当該導電リング１との信号を伝送することに供し、また、当該導電リング１の接触部１２と欠け口１１とは、それぞれ、円周の６０°の角度で設置され、三つの接触部１２が形成され、当該第１の端子３Aと第２の端子３Bは、導電リング１の円心との夾角が約１５０°である位置に設置される。
【００１４】
図６Aは、導電リング１の初期位置(０°)であり、当該第１の端子３Aと第２の端子３Bとは、それぞれに、２５５°と１０５°の位置に設置され、当該第１の端子３Aが、接触部１２と接触して、オン状態になるとともに、当該第２の端子３Bが、欠け口１１に位置してオフ状態になり、また、図６Bのように、当該導電リング１が第１の回転方向(時計回りの)へ３０°に回転される時、当該第１の端子３Aが、欠け口１１に位置して、オフ状態になるとともに、当該第２の端子３Bが、接触部１２と接触して、オン状態になり、また、図６C、６Dのように、当該導電リング１が、さらに６０°と９０°に回転される時、当該第１の端子３Aと第２の端子３Bとは、それぞれ、接触部１２と接触して、オン状態になる。
【００１５】
当該導電リング１が、更に１２０°に回転される時、第１の端子３Aが、接触部１２として、オン状態になるとともに、当該第２の端子３Bが、欠け口１１に位置して、オフ状態になり(図６Eのように)、当該導電リング１がさらに、１５０°に回転される時、第１の端子３Aが、欠け口１１に位置して、オフ状態になるとともに、当該第２の端子３Bが、接触部１２と接触して、オン状態になり(図６Fのように)、当該導電リング１が、更に、１８０°と２１０°に回転される時、当該第１の端子３Aと第２の端子３Bとが、それぞれ、接触部１２と接触して、オン状態になる(図６G、６Hのように)。
【００１６】
当該導電リング１が、更に、２４０°に回転される時、当該第１の端子３Aが、接触部１２と接触して、オン状態になるとともに、当該第２の端子３Bが、欠け口１１に位置して、オフ状態になり(図６Iのように)、当該導電リング１が、２７０°に回転される時、当該第１の端子３Aが、欠け口１１に位置して、オフ状態になるとともに、当該第２の端子３Bが、接触部１２と接触して、オン状態になり(図６Jのように)、当該導電リング１が、３００°と３３０°に回転される時、当該第１の端子３Aと第２の端子３Bとが、それぞれ、接触部１２と接触して、オン状態になり(図６K、６Lのように)、これにより、当該第１、２の端子３A、３Bにより、第１の回転方向(時計回り)へ回転する断続信号が生成される。
【００１７】
逆に、当該導電リング１が、第２の回転方向(反時計回り)へ回転される時(図７のように)、第１、２の端子３A、３Bの中、上に説明した、先にオンにした第２の端子３Bは、欠け口１１と対応して、オフ状態になるとともに、先にオフにした第１の端子３Aは、接触部１２と接触して、オン状態になり、これにより、第２の回転方向へ回転する断続信号は、設備の入力端に提供される。これにより、回路基板のICは、先行や遅延する信号差(電位差)によって、第１(時計回り)や第２(反時計回り)の回転方向を判別する。
【００１８】
以上の説明は、ただ、本考案のより良い実施例であり、本考案の実施範囲は、其れによって制限されず、本考案の実用新案請求の範囲や明細書の内容に従う、等価な変更や修正等は、すべて本考案の実用新案請求の範囲に含まれている。
【図面の簡単な説明】
【００１９】
【図１】本考案のより良い実施例の立体分解の概念図である。
【図２】本考案のより良い実施例の導電リングと端子との組み立ての概念図である。
【図３】他の角度から見る本考案のより良い実施例の導電リングと端子との組み立ての概念図である。
【図４】本考案のより良い実施例の使用状態の概念図である。
【図５】本考案のより良い実施例の時計回りの出力信号の概念図である。
【図６Ａ】本考案のより良い実施例の導電リングと端子との接触角度の概念図である。
【図６Ｂ】本考案のより良い実施例の導電リングと端子との接触角度の概念図である。
【図６Ｃ】本考案のより良い実施例の導電リングと端子との接触角度の概念図である。
【図６Ｄ】本考案のより良い実施例の導電リングと端子との接触角度の概念図である。
【図６Ｅ】本考案のより良い実施例の導電リングと端子との接触角度の概念図である。
【図６Ｆ】本考案のより良い実施例の導電リングと端子との接触角度の概念図である。
【図６Ｇ】本考案のより良い実施例の導電リングと端子との接触角度の概念図である。
【図６Ｈ】本考案のより良い実施例の導電リングと端子との接触角度の概念図である。
【図６Ｉ】本考案のより良い実施例の導電リングと端子との接触角度の概念図である。
【図６Ｊ】本考案のより良い実施例の導電リングと端子との接触角度の概念図である。
【図６Ｋ】本考案のより良い実施例の導電リングと端子との接触角度の概念図である。
【図６Ｌ】本考案のより良い実施例の導電リングと端子との接触角度の概念図である。
【図７】本考案のより良い実施例の反時計回りの出力信号の概念図である。
【図８】従来の立体分解の概念図である。
【符号の説明】
【００２０】
（本考案部分）：
１               導電リング
１１             欠け口
１２             接触部
１３             接触面
２               支持機構
２１、２２       ブラケット
２１１、２２１   アーム
３               複数の端子
３A              第１の端子
３B              第２の端子
３C              第３の端子
３D              第４の端子
（従来部分）：
４０             軸体
４１             軸
４２             軸受
４３             ロック素子
４４             金属盤
４５             外部スリーブ
４６             エンコーダ
【図１】
0003105396.tif 000003
【図２】
0003105396.tif 000004
【図３】
0003105396.tif 000005
【図４】
0003105396.tif 000006
【図５】
0003105396.tif 000007
【図６Ａ】
0003105396.tif 000008
【図６Ｂ】
0003105396.tif 000009
【図６Ｃ】
0003105396.tif 000010
【図６Ｄ】
0003105396.tif 000011
【図６Ｅ】
0003105396.tif 000012
【図６Ｆ】
0003105396.tif 000013
【図６Ｇ】
0003105396.tif 000014
【図６Ｈ】
0003105396.tif 000015
【図６Ｉ】
0003105396.tif 000016
【図６Ｊ】
0003105396.tif 000017
【図６Ｋ】
0003105396.tif 000018
【図６Ｌ】
0003105396.tif 000019
【図７】
0003105396.tif 000020
【図８】
0003105396.tif 000021